(57)【要約】      （修正有）【課題】不当操作を防ぐ、水平状態を検知できる複合機を提供する。【解決手段】複合機１０は第一の事務機１２と第二の事務機１６を含む。第一の事務機１２はケーシング１４を具え、第二の事務機１６は開閉できるように第一の事務機１２のケーシング１４の上方に固定されるハウジング１８と、ハウジング１８の内側に形成される少なくとも一本の滑り軌道と、ハウジング１８の中に設けられて滑り軌道で滑る滑動体と、滑動体の位置を検知する検知器２２とを含む。【選択図】図１
2008029012.tif 000002
【特許請求の範囲】
【請求項１】
印刷機器、スキャニング機器、ファックス機器または複写機器であるケーシングを具える第一の事務機と、
前記第一の事務機と異なり、印刷機器、スキャニング機器、ファックス機器または複写機器である第二の事務機であって、ここで、当該第二の事務機は、前記第一の事務機のケーシングの上方に固定される開閉可能なハウジングと、前記ハウジングの中に形成され、少なくとも一本の、傾斜部を有する滑り軌道と、前記ハウジングの中に設けられ、前記傾斜部に沿って滑る滑動体と、前記滑動体の滑動範囲を限定する限定構造と、前記滑り軌道の第一の端部に設けられ、光線を射出する光源と、前記滑り軌道の第一の端部に設けられ、前記光線を受け取る光センサーとを含む、第二の事務機と
を備える、複合機であって、
前記第二の事務機の前記ハウジングが開けられるとき、前記滑動体によって前記光源が遮断されて前記第二の事務機を電源オフにさせ、前記第二の事務機の前記ハウジングが水平状態であるとき、前記光線が前記光センサーに受け取られて前記第二の事務機を電源オンにさせる、複合機。
【請求項２】
印刷機器、スキャニング機器、ファックス機器または複写機器であるケーシングを具える第一の事務機と、
前記第一の事務機と異なり、印刷機器、スキャニング機器、ファックス機器または複写機器である第二の事務機であって、ここで、当該第二の事務機は、前記第一の事務機のケーシングの上方に固定される開閉可能なハウジングと、前記ハウジングの中に形成され、少なくとも一本の、傾斜部を有する滑り軌道と、前記ハウジングの中に設けられ、前記傾斜部に沿って滑る滑動体と、前記滑動体の滑動範囲を限定する限定構造と、前記滑り軌道の第二の端部に設けられ、光線を射出する光源と、前記滑り軌道の第二の端部に設けられ、前記光線を受け取る光センサーとを含む、第二の事務機と
を備える、複合機であって、
前記第二の事務機の前記ハウジングが開けられるとき、前記光線が前記光センサーに受け取られて前記第二の事務機を電源オフにさせ、前記第二の事務機の前記ハウジングが水平状態であるとき、前記滑動体によって前記光源が遮断されて前記第二の事務機を電源オンにさせる、複合機。
【請求項３】
前記検知器は光源とタッチ型センサーを含むことを特徴とする請求項１又は２に記載の複合機。
【請求項４】
前記滑動体は不透明な球体であることを特徴とする請求項１又は２に記載の複合機。
【請求項５】
前記第二の事務機は、二本の滑り軌道を具え、当該滑り軌道は傾斜溝であることを特徴とする請求項１又は２に記載の複合機。
【請求項６】
前記滑動体は、両端が滑られるように前記二本の傾斜溝に固定される支柱を具えることを特徴とする請求項５に記載の複合機。
【請求項７】
前記第二の事務機は、前記ハウジングの上方に開閉できるように固定される蓋を具えることを特徴とする請求項１又は２に記載の複合機。
【発明の詳細な説明】
【技術分野】
【０００１】
この発明は複合機に関し、特に水平状態を検知できる複合機に関する。
【背景技術】
【０００２】
複合機は各種の事務機、例えばプリンター、スキャナー、ファクシミリ、コピー機などを統合しているため、それぞれの事務機を調達するコストを節約するのみならず、貯蔵空間も節約できる。そのような特長のかげで複合機は既に市場の主流になって、学校、教室、家庭及びパーソナルスタジオに浸透し、情報時代もっとも広く使われる出力設備となっている。
【０００３】
複合機は各種の機能を持つ事務機を組み合わせるため、オールインワンの目標に達成するために種々の組み合わせ方がある。部品を修理または置換するときは機体を開けなければならない。機体を開ける状態においてプリンター、スキャナーなどは動作できないため、出力品質が低下するか部品に損害を与えるおそれがある。従来の技術はかかる不当操作を防ぐための安全スイッチ装置を欠けている。
【発明の開示】
【発明が解決しようとする課題】
【０００４】
この発明は前述の問題を解決するため、水平状態を検知できる複合機を提供することを課題とする。
【課題を解決するための手段】
【０００５】
この発明は複合機を提供する。該複合機は第一の事務機と第二の事務機を含む。第一の事務機はケーシングを具え、第二の事務機は開閉できるように第一の事務機のケーシングの上方に固定されるハウジングと、ハウジングの内側に形成される少なくとも一本の滑り軌道と、ハウジングの中に設けられて滑り軌道で滑る滑動体と、滑動体の位置を検知する検知器とを含む。
【０００６】
かかる複合機の特徴を詳述するために、具体的な実施例を挙げ、図示を参照にして以下に説明する。
【発明の効果】
【０００７】
従来の技術と比べ、この発明による複合機は事務機が水平状態にあるかを検知し、よって事務機の開閉状態を切り替え、事務機の正常操作を確保できる。この発明による検知器は高感度、低コストと環境保護に適応する長所をもち、複合機など精密かつ低コストの設備にふさわしい。
【発明を実施するための最良の形態】
【０００８】
（第１の実施例）
図１を参照する。図１はこの発明による複合機１０を表わす説明図である。複合機１０は第一の事務機１２と第二の事務機１６とを含む。第一の事務機はケーシング１４を含み、第二の事務機１６は開閉できるように第一の事務機１２のケーシングの上方に固定されるハウジング１８と、開閉できるように第二の事務機１６のハウジング１８の上方に固定される蓋２０と、第二の事務機１６が水平状態であるかを検知する検知器２２を含む。第一の事務機１２と第二の事務機１６はスキャン、ファクシミリ、コピー、プリント、カード読み取りなどの機能をもつ事務機である。図２は図１における複合機１０の第二の事務機１６が持ち上げられる状態を表わす説明図である。第二の事務機１６は持ち上げられるように第一の事務機１２のケーシング１４の上方に固定される。修理または部品置換のとき機体を持ち上げられる。第二の事務機１６が本来の状態に戻るのは図１の通りである。
【０００９】
図３はこの発明の第１の実施例による第一の検知器２４の構造を表わす説明図である。第一の検知器２４は滑り軌道２６を具え、その斜め角度は需要によって決定される。例えば、第一の検知器２４の持ち上げる角度に対する感度を高めようとする場合は、滑り軌道２６の角度を小さくすればよく、第一の検知器２４の持ち上げる角度に対する感度を低めようとする場合は、滑り軌道２６の角度を大きくすればよい。第一の検知器２４は回転または滑動できるように滑り軌道２６に置かれる不透明な球体２８と、第一の検知器２４が外力によって揺られても球体２８が滑り軌道２６からそれないように滑動範囲を制限する構造体３０と、光検知スイッチ機能をもつ光源３２と光センサー３４とを含む。そのうち光源３２と光センサー３４は構造体３０の内の滑り軌道２６の上側のＰ１端に置かれる。光源３２は光線を射出し、光センサー３４は光線を受け取る。光源３２と光センサー３４との間に遮蔽物がない場合、光源３２から射出される光線は光センサー３４に受け取られ、第二の事務機１６を電源オンにさせる。光源３２と光センサー３４との間に遮蔽物がある場合、光源３２から射出される光線は遮蔽され、光センサー３４は完全に光源から射出される光線を受け取れず、第二の事務機１６を電源オフにさせる。
【００１０】
第二の事務機１６が持ち上げられない水平状態において、球体２８は重力によって滑り軌道２６の下側のＰ２端に落ち、このとき滑り軌道２６の上側に置かれる光センサー３４は光源３２から射出される光線を受け取り、球体２８が滑り軌道２６の下側のＰ２端にあると判断する。この状況において第二の事務機１６は電源オンの状態になって動作できる。第二の事務機１６が持ち上げられて水平状態でない場合において、球体２８は重力によって滑り軌道２６の上側のＰ１端に落ち、このとき滑り軌道２６の上側に置かれる光センサー３４は球体２８が光源３２から射出される光線を遮蔽するために光源３２から射出される光線を受け取れず、球体２８が滑り軌道２６の上側のＰ１端にあると判断する。この状況において第二の事務機１６は電源オフの状態になって動作を停止する。かくして第二の事務機１６の不正操作は避けられる。
【００１１】
（第２の実施例）
図４を参照する。図４はこの発明の第２の実施例による第二の検知器３６の構造を表わす説明図である。この発明の第２の実施例における複合機１０にある検知器２２は第二の検知器３６である。第二の検知器３６の構造は図３における第一の検知器２４と基本的に同じであり、たった一つの相違点は光検知スイッチ機能のもつ光源３２と光センサー３４は滑り軌道２６の下側のＰ２端に置かれることである。光センサー３４が光源３２から射出される光線を受け取れない場合、第二の事務機１６を電源オンの状態にさせ、光センサー３４が光源３２から射出される光線を受け取れる場合、第二の事務機１６を電源オフにさせる。
【００１２】
第二の検知器３６の操作原理は第一の検知器２４と類似している。第二の事務機１６が持ち上げられない水平状態において、球体２８は重力によって滑り軌道２６の下側のＰ２端に落ち、このとき滑り軌道２６の下側に置かれる光センサー３４は球体２８が光源３２から射出される光線を遮蔽するために光源３２から射出される光線を受け取れない。この状況において第二の事務機１６は電源オンの状態になって動作できる。第二の事務機１６が持ち上げられて水平状態でない場合において、球体２８は重力によって滑り軌道２６の上側のＰ１端に落ち、このとき滑り軌道２６の下側に置かれる光センサー３４は光源３２から射出される光線を受け取る。この状況において第二の事務機１６は電源オフの状態になって動作を停止する。かくして第二の事務機１６の不正操作は避けられる。
【００１３】
（第３の実施例）
図５はこの発明の第３の実施例による第三の検知器３８の構造を表わす説明図である。この発明の第２の実施例における複合機１０にある検知器２２は第三の検知器３８である。第三の検知器３８の構造は図３における第一の検知器２４と基本的に同じであり、たった一つの相違点は検知器のスイッチは滑り軌道２６の下側のＰ２端に置かれる二本の伸縮棒４０である。二本の伸縮棒４０が押されるとき、伸縮棒４０は構造体の溝に縮み、第二の事務機１６を電源オンにさせる。二本の伸縮棒４０が押されていないとき、伸縮棒４０は構造体３０から突出する状態を保持し、第二の事務機１６を電源オフにさせる。
【００１４】
図６と図７を参照する。図６は第三の検知器３８における球体２８がＰ２端に伸縮棒４０を押すことを表わす説明図である。第二の事務機１６が持ち上げられない水平状態において、球体２８は重力によって滑り軌道２６の下側のＰ２端に落ち、このとき滑り軌道２６の下側にある二本の伸縮棒４０は球体２８に押され、構造体３０の溝に縮む。この状況において第二の事務機１６は電源オンの状態になって動作できる。図７は第三の検知器３８における球体２８がＰ１端に伸縮棒４０を押さないことを表わす説明図である。第二の事務機１６が持ち上げられて水平状態でない場合において、球体２８は重力によって滑り軌道２６の上側のＰ１端に落ち、このとき二本の伸縮棒４０は球体２８に押されていない。この状況において第二の事務機１６は電源オフの状態になって動作を停止する。かくして第二の事務機１６の不正操作は避けられる。
【００１５】
伸縮棒４０も滑り軌道２６の上側のＰ１端に設けられてもよい。しかしこの場合において、二本の伸縮棒４０が押されるとき、第二の事務機１６の電源はオフにされる。二本の伸縮棒４０が押されていないとき、第二の事務機１６の電源はオンにされる。その原理は第三の検知器と同じなのでここで説明を省略する。
【００１６】
（第４の実施例）
図８を参照する。図８はこの発明の第４の実施例による第四の検知器４２の構造を表わす説明図である。この発明の第４の実施例における複合機１０にある検知器２２は第四の検知器４２である。第四の検知器４２は構造体３０に設けられる二つの傾斜溝４４を具え、傾斜溝４４の角度は需要によって決定される。第四の検知器４２は更に不透明な滑動できるように二つの傾斜溝４４に固定され、構造体３０によって滑動範囲を制限される支柱４６と、光検知スイッチ機能をもつ光源３２と光センサー３４とを含む。光源３２と光センサー３４は構造体３０の上方の傾斜溝４４の上側のＰ１端に置かれる。光源３２は光線を射出し、光センサー３４は光線を受け取る。光源３２と光センサー３４との間に遮蔽物がない場合、光源３２から射出される光線は光センサー３４に受け取られ、第二の事務機１６を電源オンにさせる。光源３２と光センサー３４との間に遮蔽物がある場合、光源３２から射出される光線は遮蔽され、光センサー３４は完全に光源から射出される光線を受け取れず、第二の事務機１６を電源オフにさせる。
【００１７】
第二の事務機１６が持ち上げられない水平状態において、支柱４６は重力によって傾斜溝４４の下側のＰ２端に落ち、このとき傾斜溝４４の上側に置かれる光センサー３４は光源３２から射出される光線を受け取り、支柱４６が傾斜溝４４の下側のＰ２端にあると判断する。この状況において第二の事務機１６は電源オンの状態になって動作できる。第二の事務機１６が持ち上げられて水平状態でない場合において、支柱４６は重力によって傾斜溝４４の上側のＰ１端に落ち、このとき傾斜溝４４の上側に置かれる光センサー３４は支柱４６が光源３２から射出される光線を遮蔽するために光源３２から射出される光線を受け取れず、支柱４６が傾斜溝４４の上側のＰ１端にあると判断する。この状況において第二の事務機１６は電源オフの状態になって動作を停止する。かくして第二の事務機１６の不正操作は避けられる。
【００１８】
光源３２と光センサー３４は滑り軌道２６の下側のＰ２端に設けられてもよい。しかしこの場合において、光センサー３４が光源３２から射出される光線を受け取る場合、第二の事務機１６の電源はオフにされ、光センサー３４が光源３２から射出される光線を受け取れない場合、第二の事務機１６の電源はオンにされる。その原理は第四の検知器と同じなのでここで説明を省略する。
【００１９】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２０】
【図１】この発明による複合機を表わす説明図である。
【図２】図１における複合機の第二の事務機が持ち上げられる状態を表わす説明図である。
【図３】この発明の第１の実施例による第一の検知器の構造を表わす説明図である。
【図４】この発明の第２の実施例による第二の検知器の構造を表わす説明図である。
【図５】この発明の第３の実施例による第三の検知器の構造を表わす説明図である。
【図６】図５における第三の検知器３８における球体２８がＰ２端に伸縮棒４０を押すことを表わす説明図である。
【図７】図５における第三の検知器３８における球体２８がＰ２端に伸縮棒４０を押さないことを表わす説明図である。
【図８】この発明の第４の実施例による第四の検知器の構造を表わす説明図である。
【符号の説明】
【００２１】
１０  複合機
１２  第一の事務機
１４  ケーシング
１６  第二の事務機
１８  ハウジング
２０  蓋
２２  検知器
２４  第一の検知器
２６  滑り軌道
２８  球体
３０  構造体
３２  光源
３４  光センサー
３６  第二の検知器
３８  第三の検知器
４０  伸縮棒
４２  第四の検知器
４４  傾斜溝
４６  支柱
【図１】
2008029012.tif 000003
【図２】
2008029012.tif 000004
【図３】
2008029012.tif 000005
【図４】
2008029012.tif 000006
【図５】
2008029012.tif 000007
【図６】
2008029012.tif 000008
【図７】
2008029012.tif 000009
【図８】
2008029012.tif 000010
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
印刷機器、スキャニング機器、ファックス機器または複写機器であるケーシングを具える第一の事務機と、
前記第一の事務機と異なり、印刷機器、スキャニング機器、ファックス機器または複写機器である第二の事務機であって、ここで、当該第二の事務機は、前記第一の事務機のケーシングの上方に固定される開閉可能なハウジングと、前記ハウジングの中に形成され、少なくとも一本の、傾斜部を有する滑り軌道と、前記ハウジングの中に設けられ、前記傾斜部に沿って滑る滑動体と、前記滑動体の滑動範囲を限定する限定構造と、前記滑り軌道の第二の端部に設けられた伸縮棒を含む、第二の事務機と
を備える、複合機であって、
前記第二の事務機の前記ハウジングが開けられるとき、前記第二の事務機を電源オフにさせ、前記第二の事務機の前記ハウジングが水平状態であるとき、前記伸縮棒は前記限定構造の溝に縮み前記第二の事務機を電源オンにさせる、複合機。
【請求項２】
印刷機器、スキャニング機器、ファックス機器または複写機器であるケーシングを具える第一の事務機と、
前記第一の事務機と異なり、印刷機器、スキャニング機器、ファックス機器または複写機器である第二の事務機であって、ここで、当該第二の事務機は、前記第一の事務機のケーシングの上方に固定される開閉可能なハウジングと、前記ハウジングの中に形成され、少なくとも一本の、傾斜部を有する滑り軌道と、前記ハウジングの中に設けられ、前記傾斜部に沿って滑る滑動体と、前記滑動体の滑動範囲を限定する限定構造と、前記滑り軌道の第一の端部に設けられた伸縮棒を含む、第二の事務機と
を備える、複合機であって、
前記第二の事務機の前記ハウジングが開けられるとき、前記伸縮棒は前記限定構造の溝に縮み前記第二の事務機を電源オフにさせ、前記第二の事務機の前記ハウジングが水平状態であるとき、前記第二の事務機を電源オンにさせる、複合機。
【請求項３】
前記第二の事務機は、二本の滑り軌道を具え、当該滑り軌道は傾斜溝であることを特徴とする請求項１〜２に記載の複合機。
【請求項４】
前記滑動体は、両端が滑られるように前記二本の傾斜溝に固定される支柱を具えることを特徴とする請求項３に記載の複合機。
【請求項５】
前記第二の事務機は、前記ハウジングの上方に開閉できるように固定される蓋を具えることを特徴とする請求項１〜２に記載の複合機。